(57)【要約】【課題】制動性能の低下と転がり抵抗の悪化を抑えつつ、操安性能を向上させることのできる空気入りタイヤを提供すること。【解決手段】一対のビード部３０と、ビード部３０に配設されるビードコア３１のタイヤ径方向外側に配設されるビードフィラー３２と、一対のビード部３０間に架け渡されるカーカス層１０と、カーカス層１０に沿ってタイヤ内面１８に配設されるインナーライナー１６と、を備え、カーカス層１０とインナーライナー１６との間には、タイゴム４０が配設され、タイゴム４０は、タイゴム端末部４１がビードフィラー３２の外側端部３３よりもタイヤ径方向内側に位置することにより、ビードフィラー３２に対してオーバーラップしており、ビードフィラー３２に対するタイゴム４０のオーバーラップ量Ｈ１は、ビードフィラー３２の外側端部３３と内側端部３４との間隔であるビードフィラー幅Ｈｆの２０％以上６０％以下の範囲内である。【選択図】図１
2019209907.tif 000002
【特許請求の範囲】
【請求項１】
タイヤ周方向に延在して環状に形成され、トレッドゴムを有するトレッド部と、
前記トレッド部の両側に配設される一対のサイドウォール部と、
一対の前記サイドウォール部のそれぞれのタイヤ径方向内側に配設される一対のビード部と、
前記ビード部に配設されるビードコアと、
前記ビードコアのタイヤ径方向外側に配設されるビードフィラーと、
一対の前記ビード部間に架け渡されるカーカス層と、
前記カーカス層に沿ってタイヤ内面に配設されるインナーライナーと、
を備え、
前記サイドウォール部に位置する前記カーカス層と前記インナーライナーとの間には、タイゴムが配設され、
前記タイゴムは、タイヤ径方向内側の端部であるタイゴム端末部が前記ビードフィラーのタイヤ径方向外側の端部よりもタイヤ径方向内側に位置することにより、前記ビードフィラーに対してタイヤ径方向にオーバーラップしており、
前記ビードフィラーに対する前記タイゴムのオーバーラップ量Ｈ１は、
前記ビードフィラーのタイヤ径方向外側の端部とタイヤ径方向内側の端部との間隔であるビードフィラー幅Ｈｆの、２０％以上６０％以下の範囲内であることを特徴とする空気入りタイヤ。
【請求項２】
前記ビードフィラー幅Ｈｆは、
前記ビードフィラーのタイヤ径方向内側の端部を通る前記カーカス層の法線をビードフィラー内側基準線とし、
前記ビードフィラーのタイヤ径方向外側の端部を通り前記ビードフィラー内側基準線に平行な線をビードフィラー外側基準線とする場合における、前記ビードフィラー内側基準線と前記ビードフィラー外側基準線との距離であり、
前記オーバーラップ量Ｈ１は、
前記タイゴム端末部を通り前記ビードフィラー内側基準線に平行な線をタイゴム端末部基準線とする場合における、前記タイゴム端末部基準線と前記ビードフィラー外側基準線との距離である請求項１に記載の空気入りタイヤ。
【請求項３】
前記タイゴム端末部の位置での前記タイゴムの厚さＧｔと、
前記カーカス層を介して前記タイゴム端末部に隣接する位置での前記ビードフィラーの断面幅Ｇｆとが、
Ｇｔ≦Ｇｆの関係である請求項１または２に記載の空気入りタイヤ。
【請求項４】
前記ビードフィラーの断面幅Ｇｆは、前記タイゴム端末部を通る前記カーカス層の法線上での前記ビードフィラーの断面幅である請求項３に記載の空気入りタイヤ。
【請求項５】
前記タイゴム端末部の位置での前記タイゴムの厚さＧｔと、
前記タイゴム端末部に隣接する位置での前記インナーライナーの厚さＧｉとが、
Ｇｔ≦Ｇｉの関係である請求項１〜４のいずれか１項に記載の空気入りタイヤ。
【請求項６】
前記インナーライナーの厚さＧｉは、前記タイゴム端末部を通る前記カーカス層の法線上での前記インナーライナーの厚さである請求項５に記載の空気入りタイヤ。
【請求項７】
タイヤ子午断面における前記トレッド部のトレッドラジアスが、６００ｍｍ以上１７００ｍｍ以下の範囲内であり、
接地幅が、タイヤ最大幅の６０％以上９０％以下の範囲内であり、
タイヤ径方向における前記ビードフィラーの高さが、タイヤ断面高さの３０％以下である請求項１〜６のいずれか１項に記載の空気入りタイヤ。
【請求項８】
タイヤ断面高さのタイヤ径方向内側の基準位置からタイヤ最大幅位置までのタイヤ径方向における高さが、タイヤ断面高さに対して５０％以上６０％以下の範囲内である請求項１〜７のいずれか１項に記載の空気入りタイヤ。
【請求項９】
前記サイドウォール部は、タイヤ最大幅位置における前記カーカス層のタイヤ幅方向外側に位置するサイドゴムの厚さが、１ｍｍ以上４ｍｍ以下の範囲内である請求項１〜８のいずれか１項に記載の空気入りタイヤ。
【請求項１０】
前記トレッドゴムは、センター位置における厚さＧｃと、ショルダー位置における厚さＧｓとが、Ｇｃ≧Ｇｓの関係を満たし、且つ、前記センター位置における厚さＧｃと前記ショルダー位置における厚さＧｓとが、それぞれタイヤ断面高さの２％以上１０％以下の範囲内である請求項１〜９のいずれか１項に記載の空気入りタイヤ。
【請求項１１】
前記カーカス層は、前記ビードコアのタイヤ幅方向内側からタイヤ幅方向外側に折り返されるターンナップ部を有し、
前記ターンナップ部は、タイヤ断面高さのタイヤ径方向内側の基準位置から、前記ターンナップ部のタイヤ径方向外側の端部までのタイヤ径方向における高さが、タイヤ断面高さの１０％以上４０％以下の範囲内である請求項１〜１０のいずれか１項に記載の空気入りタイヤ。
【発明の詳細な説明】
【技術分野】
【０００１】
本発明は、空気入りタイヤに関する。
【背景技術】
【０００２】
近年では、車両の走行時における燃費性能を向上させることを目的として、空気入りタイヤの転がり抵抗を低減させる要求が高まっている。このため、従来の空気入りタイヤの中には、転がり抵抗を低減させるための工夫を図っているものがある。例えば、特許文献１に記載された空気入りラジアルタイヤでは、トレッドゴムのｔａｎδを所定の範囲内にし、トレッド部やサイドウォール部のゴム厚みを所定の範囲内にすると共に、トレッド接地端からビード部側へ向けた所定の範囲のゴム厚みをトレッド部のゴム厚みよりも薄く規定している。また、特許文献２に記載された空気入りタイヤでは、タイヤ最大幅位置のカーカスのタイヤ幅方向外側にカーカスプライ補強層を配置し、カーカスプライ補強層の幅と、カーカスプライ補強層に埋設されている補強素子の角度を規定している。また、特許文献３に記載された空気入りタイヤでは、ビードフィラーの高さを規定している。特許文献１〜３では、これらの規定を行うことにより、転がり抵抗の低減を図っている。
【先行技術文献】
【特許文献】
【０００３】
【特許文献１】特許第３１５１０３５号公報
【特許文献２】特開２０１１−７９４６９号公報
【特許文献３】特開２０１１−９８５９７号公報
【発明の概要】
【発明が解決しようとする課題】
【０００４】
ここで、空気入りタイヤには、転がり抵抗の低減以外にも様々な性能が要求され、例えば、車両の制動時における制動性能や、車両の走行時における操安性能が求められる。制動性能については、ｔａｎδの高いトレッドゴムを用いることにより向上させることができるが、トレッドゴムのｔａｎδを高くすると、転がり抵抗が悪化し易くなる。制動性能と低転がり抵抗を両立させるための１つの手法としては、トレッドゴムのｔａｎδを低くすると共に、トレッド部のプロファイルを比較的フラットな形状にし、サイドゴムの厚さを薄くし、ビードフィラーのタイヤ径方向における高さを低くすることが挙げられる。このように、トレッドゴムのｔａｎδを低くすることにより、転がり抵抗の悪化を抑えることができ、トレッド部のプロファイルをフラットにすることにより、接地面積を増加させることができるため、制動性能を向上させることができる。また、サイドゴムの厚さを薄くし、ビードフィラーの高さを低くすることにより、タイヤサイド部の剛性が低くなるため、荷重負荷時に撓み易くなって接地面積を増加させることができ、制動性能を向上させることができる。
【０００５】
しかしながら、サイドゴムの厚さを薄くした場合、タイヤサイド部におけるビードフィラーが配設されている位置とそれ以外の位置とで、剛性差が大きくなり過ぎる虞がある。即ち、ビードフィラーのタイヤ径方向外側の位置の剛性が、タイヤ径方向におけるビードフィラーが配設されている位置の剛性と比較して、大幅に低くなる虞がある。この場合、タイヤサイド部に荷重が負荷された際に、相対的に剛性が低いビードフィラーのタイヤ径方向外側の位置がまず荷重によって撓み、その後に、相対的に剛性が高いビードフィラーが配設される位置が撓む。その際に、ビードフィラーが配設される位置と、ビードフィラーのタイヤ径方向外側の位置とでは、剛性が大幅に異なるため、ビードフィラーが配設される位置が撓む際における荷重負荷に対する撓み方が、ビードフィラーのタイヤ径方向外側の位置の撓み方と比較して大幅に小さくなる。このため、荷重負荷に対する撓み方が、ビードフィラーが配設される位置が撓み始める前後で大きく変化し、これに起因して操安性能が低下する虞がある。即ち、荷重負荷に対する撓み方が急変することにより、乗り心地を含む操安性能が低下する虞がある。これらのように、制動性能と低転がり抵抗を両立させ、さらに、操安性能を向上させるのは、大変困難なものとなっていた。
【０００６】
本発明は、上記に鑑みてなされたものであって、制動性能の低下と転がり抵抗の悪化を抑えつつ、操安性能を向上させることのできる空気入りタイヤを提供することを目的とする。
【課題を解決するための手段】
【０００７】
上述した課題を解決し、目的を達成するために、本発明に係る空気入りタイヤは、タイヤ周方向に延在して環状に形成され、トレッドゴムを有するトレッド部と、前記トレッド部の両側に配設される一対のサイドウォール部と、一対の前記サイドウォール部のそれぞれのタイヤ径方向内側に配設される一対のビード部と、前記ビード部に配設されるビードコアと、前記ビードコアのタイヤ径方向外側に配設されるビードフィラーと、一対の前記ビード部間に架け渡されるカーカス層と、前記カーカス層に沿ってタイヤ内面に配設されるインナーライナーと、を備え、前記サイドウォール部に位置する前記カーカス層と前記インナーライナーとの間には、タイゴムが配設され、前記タイゴムは、タイヤ径方向内側の端部であるタイゴム端末部が前記ビードフィラーのタイヤ径方向外側の端部よりもタイヤ径方向内側に位置することにより、前記ビードフィラーに対してタイヤ径方向にオーバーラップしており、前記ビードフィラーに対する前記タイゴムのオーバーラップ量Ｈ１は、前記ビードフィラーのタイヤ径方向外側の端部とタイヤ径方向内側の端部との間隔であるビードフィラー幅Ｈｆの、２０％以上６０％以下の範囲内であることを特徴とする。
【０００８】
また、上記空気入りタイヤにおいて、前記ビードフィラー幅Ｈｆは、前記ビードフィラーのタイヤ径方向内側の端部を通る前記カーカス層の法線をビードフィラー内側基準線とし、前記ビードフィラーのタイヤ径方向外側の端部を通り前記ビードフィラー内側基準線に平行な線をビードフィラー外側基準線とする場合における、前記ビードフィラー内側基準線と前記ビードフィラー外側基準線との距離であり、前記オーバーラップ量Ｈ１は、前記タイゴム端末部を通り前記ビードフィラー内側基準線に平行な線をタイゴム端末部基準線とする場合における、前記タイゴム端末部基準線と前記ビードフィラー外側基準線との距離であることが好ましい。
【０００９】
また、上記空気入りタイヤにおいて、前記タイゴム端末部の位置での前記タイゴムの厚さＧｔと、前記カーカス層を介して前記タイゴム端末部に隣接する位置での前記ビードフィラーの断面幅Ｇｆとが、Ｇｔ≦Ｇｆの関係であることが好ましい。
【００１０】
また、上記空気入りタイヤにおいて、前記ビードフィラーの断面幅Ｇｆは、前記タイゴム端末部を通る前記カーカス層の法線上での前記ビードフィラーの断面幅であることが好ましい。
【００１１】
また、上記空気入りタイヤにおいて、前記タイゴム端末部の位置での前記タイゴムの厚さＧｔと、前記タイゴム端末部に隣接する位置での前記インナーライナーの厚さＧｉとが、Ｇｔ≦Ｇｉの関係であることが好ましい。
【００１２】
また、上記空気入りタイヤにおいて、前記インナーライナーの厚さＧｉは、前記タイゴム端末部を通る前記カーカス層の法線上での前記インナーライナーの厚さであることが好ましい。
【００１３】
また、上記空気入りタイヤにおいて、タイヤ子午断面における前記トレッド部のトレッドラジアスが、６００ｍｍ以上１７００ｍｍ以下の範囲内であり、接地幅が、タイヤ最大幅の６０％以上９０％以下の範囲内であり、タイヤ径方向における前記ビードフィラーの高さが、タイヤ断面高さの３０％以下であることが好ましい。
【００１４】
また、上記空気入りタイヤにおいて、タイヤ断面高さのタイヤ径方向内側の基準位置からタイヤ最大幅位置までのタイヤ径方向における高さが、タイヤ断面高さに対して５０％以上６０％以下の範囲内であることが好ましい。
【００１５】
また、上記空気入りタイヤにおいて、前記サイドウォール部は、タイヤ最大幅位置における前記カーカス層のタイヤ幅方向外側に位置するサイドゴムの厚さが、１ｍｍ以上４ｍｍ以下の範囲内であることが好ましい。
【００１６】
また、上記空気入りタイヤにおいて、前記トレッドゴムは、センター位置における厚さＧｃと、ショルダー位置における厚さＧｓとが、Ｇｃ≧Ｇｓの関係を満たし、且つ、前記センター位置における厚さＧｃと前記ショルダー位置における厚さＧｓとが、それぞれタイヤ断面高さの２％以上１０％以下の範囲内であることが好ましい。
【００１７】
また、上記空気入りタイヤにおいて、前記カーカス層は、前記ビードコアのタイヤ幅方向内側からタイヤ幅方向外側に折り返されるターンナップ部を有し、前記ターンナップ部は、タイヤ断面高さのタイヤ径方向内側の基準位置から、前記ターンナップ部のタイヤ径方向外側の端部までのタイヤ径方向における高さが、タイヤ断面高さの１０％以上４０％以下の範囲内であることが好ましい。
【発明の効果】
【００１８】
本発明に係る空気入りタイヤは、制動性能の低下と転がり抵抗の悪化を抑えつつ、操安性能を向上させることができる、という効果を奏する。
【図面の簡単な説明】
【００１９】
【図１】図１は、実施形態に係る空気入りタイヤの要部を示す子午断面図である。
【図２】図２は、図１に示すサイドウォール部及びビード部の詳細図である。
【図３】図３は、図２に示すビード部の詳細図である。
【図４Ａ】図４Ａは、空気入りタイヤの性能評価試験の結果を示す図表である。
【図４Ｂ】図４Ｂは、空気入りタイヤの性能評価試験の結果を示す図表である。
【図４Ｃ】図４Ｃは、空気入りタイヤの性能評価試験の結果を示す図表である。
【発明を実施するための形態】
【００２０】
以下に、本発明に係る空気入りタイヤの実施形態を図面に基づいて詳細に説明する。なお、この実施形態によりこの発明が限定されるものではない。また、下記実施形態における構成要素には、当業者が置換可能、且つ、容易に想到できるもの、或いは実質的に同一のものが含まれる。
【００２１】
［実施形態］
以下の説明において、タイヤ径方向とは、空気入りタイヤ１の回転軸であるタイヤ回転軸（図示省略）と直交する方向をいい、タイヤ径方向内側とはタイヤ径方向においてタイヤ回転軸に向かう側、タイヤ径方向外側とはタイヤ径方向においてタイヤ回転軸から離れる側をいう。また、タイヤ周方向とは、タイヤ回転軸を中心軸とする周り方向をいう。また、タイヤ幅方向とは、タイヤ回転軸と平行な方向をいい、タイヤ幅方向内側とはタイヤ幅方向においてタイヤ赤道面（タイヤ赤道線）ＣＬに向かう側、タイヤ幅方向外側とはタイヤ幅方向においてタイヤ赤道面ＣＬから離れる側をいう。タイヤ赤道面ＣＬとは、タイヤ回転軸に直交すると共に、空気入りタイヤ１のタイヤ幅の中心を通る平面であり、タイヤ赤道面ＣＬは、空気入りタイヤ１のタイヤ幅方向における中心位置であるタイヤ幅方向中心線と、タイヤ幅方向における位置が一致する。タイヤ幅は、タイヤ幅方向において最も外側に位置する部分同士のタイヤ幅方向における幅、つまり、タイヤ幅方向においてタイヤ赤道面ＣＬから最も離れている部分間の距離である。タイヤ赤道線とは、タイヤ赤道面ＣＬ上にあって空気入りタイヤ１のタイヤ周方向に沿う線をいう。また、以下の説明では、タイヤ子午断面とは、タイヤ回転軸を含む平面でタイヤを切断したときの断面をいう。
【００２２】
図１は、実施形態に係る空気入りタイヤ１の要部を示す子午断面図である。本実施形態に係る空気入りタイヤ１は、タイヤ子午断面で見た場合、タイヤ径方向の最も外側となる部分にタイヤ周方向に延在して環状に形成されるトレッド部２が配設されており、トレッド部２は、ゴム組成物から成るトレッドゴム４を有している。また、トレッド部２の表面、即ち、当該空気入りタイヤ１を装着する車両（図示省略）の走行時に路面と接触する部分は、接地面３として形成され、接地面３は、空気入りタイヤ１の輪郭の一部を構成している。トレッド部２には、接地面３にタイヤ周方向に延びる周方向溝２５と、タイヤ幅方向に延びるラグ溝（図示省略）とがそれぞれ複数形成されており、これらの周方向溝２５とラグ溝とにより、トレッド部２の表面には複数の陸部２０が画成されている。
【００２３】
なお、周方向溝２５は、タイヤ周方向に直線状に延在してもよく、タイヤ周方向に延びつつタイヤ幅方向に振幅する波形状やジグザグ状に設けられてもよい。ラグ溝も、タイヤ幅方向に直線状に延在してもよく、タイヤ幅方向に延びつつタイヤ周方向に傾斜したり、タイヤ幅方向に延びつつタイヤ周方向に湾曲したり屈曲したりして形成されていてもよい。
【００２４】
また、トレッド部２が有するトレッドゴム４は、接地面３を形成するキャップゴム４ａと、キャップゴム４ａのタイヤ径方向内側に位置するベースゴム４ｂとを有している。即ち、トレッド部２は、キャップゴム４ａとベースゴム４ｂとがタイヤ径方向に積層されることにより構成されている。これらのキャップゴム４ａとベースゴム４ｂは、６０℃でのｔａｎδが０．３以下である。
【００２５】
なお、ここでいうｔａｎδは、ＪＩＳ−Ｋ６３９４に準拠して、粘弾性スペクロトメーター（東洋精機製作所製）を用い、周波数２０Ｈｚ、初期歪み１０％、動歪み±２％、温度６０℃の条件にて測定されるものである。
【００２６】
タイヤ幅方向におけるトレッド部２の両外側端にはショルダー部５が位置しており、ショルダー部５のタイヤ径方向内側には、一対のサイドウォール部８が配設されている。即ち、一対のサイドウォール部８は、トレッド部２のタイヤ幅方向両側に配設されており、換言すると、サイドウォール部８は、タイヤ幅方向における空気入りタイヤ１の両側２箇所に配設されている。このように形成されるサイドウォール部８は、空気入りタイヤ１におけるタイヤ幅方向の最も外側に露出する部分になっており、ゴム材料であるサイドゴム９を有している。
【００２７】
一対のサイドウォール部８のそれぞれのタイヤ径方向内側には、ビード部３０が配設されている。ビード部３０は、サイドウォール部８と同様に、タイヤ赤道面ＣＬの両側２箇所に配設されており、即ち、ビード部３０は、一対がタイヤ赤道面ＣＬのタイヤ幅方向における両側に配設されている。また、各ビード部３０には、それぞれビードコア３１が配設されている。ビードコア３１のタイヤ径方向外側にはビードフィラー３２が設けられている。ビードコア３１は、スチールワイヤであるビードワイヤを束ねて円環状に形成される環状部材になっている。ビードフィラー３２は、ビードコア３１のタイヤ径方向外側に配設されるゴム部材になっており、少なくともタイヤ径方向における外側の端部付近の位置では、タイヤ径方向における内側から外側に向かうに従って、タイヤ幅方向における幅が狭くなって形成されている。
【００２８】
また、トレッド部２のタイヤ径方向内側には、ベルト層１４が設けられている。ベルト層１４は、一対の交差ベルト１４１、１４２と、ベルトカバー１４３とが積層されている。一対の交差ベルト１４１、１４２は、スチール、またはポリエステルやレーヨンやナイロン等の有機繊維材から成る複数のベルトコードをコートゴムで被覆して圧延加工して構成され、タイヤ周方向に対するベルトコードの傾斜角として定義されるベルト角度が、所定の範囲内（例えば、２０°以上５５°以下）になっている。また、一対の交差ベルト１４１、１４２は、ベルト角度が互いに異なっている。このため、一対の交差ベルト１４１、１４２は、ベルトコードの傾斜方向を相互に交差させて積層される、いわゆるクロスプライ構造として構成されている。
【００２９】
ベルトカバー１４３は、スチール、またはポリエステルやレーヨンやナイロン等の有機繊維材から成るベルトカバーコードをコートゴムで被覆して構成され、タイヤ周方向に対するベルトコードの傾斜角として定義されるベルト角度が、所定の範囲内（例えば、０°以上１０°以下）になっている。本実施形態では、ベルトカバー１４３は、一対の交差ベルト１４１、１４２全体を覆って配設されている。また、一対のベルトカバー１４３は、例えば、１本或いは複数本のベルトカバーコードをコートゴムで被覆して成るストリップ材であり、このストリップ材を交差ベルト１４１、１４２の外周面に対してタイヤ周方向に複数回かつ螺旋状に巻き付けて構成される。また、ベルトカバー１４３は、これ以外の構成でもあってもよい。ベルトカバー１４３は、例えば、一対の交差ベルト１４１、１４２のタイヤ幅方向端部付近のみに配設されていてもよく、または、交差ベルト１４１、１４２全体を覆うベルトカバー１４３と、交差ベルト１４１、１４２のタイヤ幅方向端部付近のみに配設されるベルトカバー１４３とが積層されていてもよい。
【００３０】
ベルト層１４のタイヤ径方向内側、及びサイドウォール部８のタイヤ赤道面ＣＬ側には、ラジアルプライのコードを内包するカーカス層１０が連続して設けられている。このため、本実施形態に係る空気入りタイヤ１は、いわゆるラジアルタイヤとして構成されている。カーカス層１０は、１枚のカーカスプライから成る単層構造、或いは複数のカーカスプライを積層して成る多層構造を有し、タイヤ幅方向の両側に配設される一対のビード部３０間にトロイダル状に架け渡されてタイヤの骨格を構成する。
【００３１】
詳しくは、カーカス層１０は、タイヤ幅方向における両側に位置する一対のビード部３０のうち、一方のビード部３０から他方のビード部３０にかけて配設されており、カーカス層１０の両端部付近は、ビードコア３１及びビードフィラー３２を包み込むようにビード部３０でビードコア３１に沿ってタイヤ幅方向外側に巻き返されている。このため、カーカス層１０は、トレッド部２からサイドウォール部８を経てビード部３０に至り、一対のビード部３０間に架け渡されるカーカス本体部１１と、カーカス本体部１１から連続して形成されビード部３０でビードコア３１のタイヤ幅方向内側からビードコア３１のタイヤ幅方向外側に折り返されるターンナップ部１２とを有している。ビードフィラー３２は、このようにカーカス層１０がビード部３０で折り返されることにより、ビードコア３１のタイヤ径方向外側に形成される空間に配置されるゴム材になっている。
【００３２】
また、ベルト層１４は、このように一対のビード部３０間に架け渡されるカーカス層１０における、トレッド部２に位置する部分のタイヤ径方向外側に配置されている。また、カーカス層１０のカーカスプライは、スチール、或いはアラミド、ナイロン、ポリエステル、レーヨン等の有機繊維材から成る複数のカーカスコードを、コートゴムで被覆して圧延加工することによって構成されている。カーカスプライを構成するカーカスコードは、タイヤ周方向に対するカーカスコードの長手方向の傾斜角として定義されるカーカス角度が、８０°以上９０°以下の範囲内となって配設され、複数が並設されている。
【００３３】
ビード部３０における、ビードコア３１及びカーカス層１０のターンナップ部１２のタイヤ径方向内側やタイヤ幅方向外側には、リムフランジに対するビード部３０の接触面を構成するリムクッションゴム１７が配設されている。
【００３４】
また、カーカス層１０の内側、或いは、当該カーカス層１０の、空気入りタイヤ１における内部側には、インナーライナー１６がカーカス層１０に沿って配設されている。インナーライナー１６は、タイヤ内面１８に配設されてカーカス層１０を覆う空気透過防止層であり、カーカス層１０の露出による酸化を抑制し、また、タイヤに充填された空気の洩れを防止する。また、インナーライナー１６は、ブチルゴムを主成分とするゴム組成物によって構成される。ブチルゴムを主成分とするゴム組成物としては、例えば、ブチルゴム（ＩＩＲ）、ブチル系ゴムなどが採用され得る。ブチル系ゴムは、例えば、塩素化ブチルゴム（Ｃｌ−ＩＩＲ）、臭素化ブチルゴム（Ｂｒ−ＩＩＲ）などのハロゲン化ブチルゴムであることが好ましい。
【００３５】
さらに、カーカス層１０とインナーライナー１６との間には、タイゴム４０が配設されている。カーカス層１０とインナーライナー１６との間に配設されるタイゴム４０は、タイヤ製造時に未加硫の空気入りタイヤ１をインフレートする際にカーカスコードがインナーライナー１６に喰い込むことを抑制するための層であり、製造後の空気入りタイヤ１においては、空気透過防止性や乾燥路面における操縦安定性に寄与するものである。タイゴム４０は、少なくともサイドウォール部８に位置するカーカス層１０とインナーライナー１６との間に配設されており、本実施形態では、タイゴム４０は、トレッド部２を経てタイヤ幅方向両側のサイドウォール部８同士の間に亘って配設されている。
【００３６】
また、本実施形態に係る空気入りタイヤ１は、タイヤ子午断面におけるトレッド部２のトレッドラジアスＴＲが、６００ｍｍ以上１７００ｍｍ以下の範囲内になっており、タイヤ外径と比較した場合、トレッドラジアスＴＲは、タイヤ外径の１００％以上１４０％以下の範囲内になっている。即ち、トレッド部２は、接地面３の基準となるプロファイルが、比較的フラットな形状で形成されている。なお、この場合におけるトレッドラジアスＴＲは、空気入りタイヤ１を正規リムにリム組みして正規内圧を充填した状態で、タイヤ子午断面に沿った方向におけるトレッド部２の接地面３の半径をラジアス定規によって測定した値になっている。
【００３７】
ここでいう正規リムとは、ＪＡＴＭＡで規定する「標準リム」、ＴＲＡで規定する「Design  Rim」、或いは、ＥＴＲＴＯで規定する「Measuring  Rim」である。また、正規内圧とは、ＪＡＴＭＡで規定する「最高空気圧」、ＴＲＡで規定する「TIRE  LOAD  LIMITS  AT  VARIOUS  COLD  INFLATION  PRESSURES」に記載の最大値、或いはＥＴＲＴＯで規定する「INFLATION  PRESSURES」である。また、トレッドラジアスＴＲは、８００ｍｍ以上１５００ｍｍ以下の範囲内であるのが好ましく、タイヤ外径と比較した場合は、タイヤ外径の１１０％以上１３０％以下の範囲内であるのが好ましい。
【００３８】
また、トレッド部２は、接地幅ＴＷが、タイヤ最大幅ＳＷの６０％以上９０％以下の範囲内になっている。ここでいう接地幅ＴＷは、接地面３の接地端Ｔ同士のタイヤ幅方向における間隔である。接地端Ｔは、空気入りタイヤ１を正規リムにリム組みして正規内圧を充填し、静止状態にて平板に対して垂直に置かれて正規荷重に相当する荷重を加えられたときの、接地面３における平板に接触する領域のタイヤ幅方向の両最外端をいい、タイヤ周方向に連続する。ここでいう正規荷重とは、ＪＡＴＭＡで規定する「最大負荷能力」、ＴＲＡで規定する「TIRE  LOAD  LIMITS  AT  VARIOUS  COLD  INFLATION  PRESSURES」の最大値、或いはＥＴＲＴＯで規定する「LOAD  CAPACITY」である。
【００３９】
また、ここでいうタイヤ最大幅ＳＷは、空気入りタイヤ１を正規リムにリム組みして、正規内圧を充填して、空気入りタイヤ１に荷重を加えない無負荷状態のときの、サイドウォール部８の外側の表面から突出する構造物を除いたタイヤ幅方向における寸法が最大となる位置でのタイヤ幅方向における幅になっている。また、接地幅ＴＷは、タイヤ最大幅ＳＷの７０％以上８０％以下の範囲内であるのが好ましい。
【００４０】
また、本実施形態に係る空気入りタイヤ１は、タイヤ断面高さＳＨのタイヤ径方向内側の基準位置からタイヤ最大幅位置Ｗまでのタイヤ径方向における高さＨＷが、タイヤ断面高さＳＨに対して５０％以上６０％以下の範囲内になっている。ここでいうタイヤ断面高さＳＨは、トレッド部２における最もタイヤ径方向外側に位置している部分と、リム径基準位置ＢＬとのタイヤ径方向における距離になっている。つまり、タイヤ断面高さＳＨは、空気入りタイヤ１を正規リムにリム組みして、正規内圧を充填して、空気入りタイヤ１に荷重を加えない無負荷状態のときの、タイヤ外径とリム径との差の１／２をいう。このため、タイヤ断面高さＳＨのタイヤ径方向内側の基準位置は、リム径基準位置ＢＬになっており、タイヤ断面高さＳＨのタイヤ径方向内側の基準位置からタイヤ最大幅位置Ｗまでのタイヤ径方向における高さＨＷは、リム径基準位置ＢＬからタイヤ最大幅位置Ｗまでのタイヤ径方向における距離になっている。また、タイヤ最大幅位置Ｗは、タイヤ最大幅ＳＷとなる位置のタイヤ径方向における位置である。
【００４１】
なお、リム径基準位置ＢＬからタイヤ最大幅位置Ｗまでのタイヤ径方向における高さＨＷは、タイヤ断面高さＳＨに対して５２％以上５６％以下の範囲内であるのが好ましい。
【００４２】
また、トレッド部２が有するトレッドゴム４は、センター位置における厚さＧｃと、ショルダー位置における厚さＧｓとが、Ｇｃ≧Ｇｓの関係を満たしている。ここでいうセンター位置における厚さＧｃとショルダー位置における厚さＧｓとは、積層されるキャップゴム４ａとベースゴム４ｂとを合わせた厚さになっている。
【００４３】
トレッドゴム４のこれらの厚さのうち、センター位置における厚さＧｃは、タイヤ赤道面ＣＬ上で接地面３の法線方向に測定されるトレッドゴム４の厚さになっている。即ち、本実施形態では、センター位置におけるトレッドゴム４の厚さＧｃは、接地面３とタイヤ赤道面ＣＬとの交点を通る接地面３の法線方向における、ベルトカバー１４３の接地面３側の面と接地面３との距離になっている。また、ショルダー位置における厚さＧｓは、接地面３と接地端Ｔとの交点を通る接地面３の法線方向に測定されるトレッドゴム４の厚さになっている。即ち、本実施形態では、ショルダー位置におけるトレッドゴム４の厚さＧＳは、接地面３と接地端Ｔとの交点を通る接地面３の法線方向における、ベルトカバー１４３の接地面３側の面と接地面３との距離になっている。
【００４４】
なお、タイヤ赤道面ＣＬ上に周方向溝２５が配設される場合は、センター位置におけるトレッドゴム４の厚さＧｃは、接地面３におけるタイヤ赤道面ＣＬに最も近い位置で接地面３の法線方向に測定されるトレッドゴム４の厚さになる。
【００４５】
また、トレッドゴム４のセンター位置における厚さＧｃとショルダー位置における厚さＧｓとは、それぞれタイヤ断面高さＳＨの２％以上１０％以下の範囲内になっている。また、トレッドゴム４のセンター位置における厚さＧｃとショルダー位置における厚さＧｓとは、それぞれ３ｍｍ以上１３ｍｍ以下の範囲内になっている。なお、トレッドゴム４のセンター位置における厚さＧｃとショルダー位置における厚さＧｓとは、それぞれタイヤ断面高さＳＨの３％以上７％以下の範囲内であるのが好ましく、それぞれ５ｍｍ以上１０ｍｍ以下の範囲内であるのが好ましい。
【００４６】
図２は、図１に示すサイドウォール部８及びビード部３０の詳細図である。サイドウォール部８は、サイドゴム９の厚さが比較的薄くなっており、具体的には、タイヤ最大幅位置Ｗにおけるカーカス層１０のタイヤ幅方向外側に位置するサイドゴム９の厚さＧｗが、１ｍｍ以上４ｍｍ以下の範囲内になっている。なお、タイヤ最大幅位置Ｗでのサイドゴム９の厚さＧｗは、２ｍｍ以上３ｍｍ以下の範囲内であるのが好ましい。
【００４７】
また、カーカス層１０のターンナップ部１２は、リム径基準位置ＢＬから、ターンナップ部１２のタイヤ径方向外側の端部であるターンナップエッジ部１２ａまでのタイヤ径方向における高さＴＵＨが、タイヤ断面高さＳＨの１０％以上４０％以下の範囲内になっている。即ち、ターンナップ部１２は、ターンナップエッジ部１２ａがタイヤ最大幅位置Ｗよりもタイヤ径方向内側に位置している。また、ターンナップエッジ部１２ａは、タイヤ径方向における位置が、ビードフィラー３２よりもタイヤ径方向外側に位置している。なお、ターンナップ部１２の、リム径基準位置ＢＬからターンナップエッジ部１２ａまでのタイヤ径方向における高さＴＵＨは、２０％以上３０％以下の範囲内であるのが好ましい。
【００４８】
また、ビードフィラー３２は、タイヤ径方向における高さＢＦＨが比較的低くなっており、ビードフィラー３２のタイヤ径方向における高さＢＦＨは、タイヤ断面高さＳＨの５％以上３０％以下の範囲内になっている。なお、ビードフィラー３２のタイヤ径方向における高さＢＦＨは、タイヤ断面高さＳＨの１０％以上２０％以下の範囲内であるのが好ましい。
【００４９】
図３は、図２に示すビード部３０の詳細図である。カーカス層１０とインナーライナー１６との間に配設されるタイゴム４０は、タイヤ径方向内側の端部であるタイゴム端末部４１のタイヤ径方向における位置が、ビードフィラー３２のタイヤ径方向外側の端部である外側端部３３と、ビードフィラー３２のタイヤ径方向内側の端部である内側端部３４との間に位置している。つまり、タイゴム端末部４１は、ビードフィラー３２の外側端部３３よりもタイヤ径方向内側に位置しており、ビードフィラー３２の内側端部３４よりもタイヤ径方向外側に位置している。このため、タイゴム４０は、ビードフィラー３２に対して、タイヤ径方向にオーバーラップして配設されている。
【００５０】
詳しくは、ビードフィラー３２に対するタイゴム４０のオーバーラップ量Ｈ１は、ビードフィラー３２の外側端部３３と内側端部３４との間隔であるビードフィラー幅Ｈｆの、２０％以上６０％以下の範囲内になっている。このうち、ビードフィラー幅Ｈｆは、ビードフィラー３２の内側端部３４を通るカーカス層１０の法線をビードフィラー内側基準線Ｌｆｉとし、ビードフィラー３２の外側端部３３を通りビードフィラー内側基準線Ｌｆｉに平行な線をビードフィラー外側基準線Ｌｆｏとする場合における、ビードフィラー内側基準線Ｌｆｉとビードフィラー外側基準線Ｌｆｏとの距離になっている。なお、ビードフィラー内側基準線Ｌｆｉは、具体的には、ビードフィラー３２の内側端部３４を通るカーカス本体部１１の法線になっている。また、オーバーラップ量Ｈ１は、タイゴム端末部４１を通りビードフィラー内側基準線Ｌｆｉに平行な線をタイゴム端末部基準線Ｌｔとする場合における、タイゴム端末部基準線Ｌｔとビードフィラー外側基準線Ｌｆｏとの距離になっている。
【００５１】
なお、ビードフィラー幅Ｈｆに対するオーバーラップ量Ｈ１は、３０％以上５０％以下の範囲内であるのが好ましい。
【００５２】
また、タイゴム４０とビードフィラー３２とは、タイゴム端末部４１の位置でのタイゴム４０の厚さＧｔと、カーカス層１０を介してタイゴム端末部４１に隣接する位置でのビードフィラー３２の断面幅Ｇｆとが、Ｇｔ≦Ｇｆの関係になっている。タイゴム端末部４１の位置でのタイゴム４０の厚さＧｔは、タイゴム端末部４１を通るカーカス層１０の法線Ｌｃ上でのタイゴム４０の厚さになっており、ビードフィラー３２の断面幅Ｇｆは、タイゴム端末部４１を通るカーカス層１０の法線Ｌｃ上でのビードフィラー３２の断面幅になっている。つまり、タイゴム４０は、タイゴム端末部４１を通るカーカス層１０の法線Ｌｃ上おいて、タイゴム端末部４１の位置での厚さＧｔが、ビードフィラー３２の断面幅Ｇｆ以下の厚さになっている。なお、タイゴム端末部４１を通るカーカス層１０の法線Ｌｃは、具体的には、タイゴム端末部４１を通るカーカス本体部１１の法線になっている。また、タイゴム端末部４１の位置でのタイゴム４０の厚さＧｔは、タイゴム端末部４１を通るカーカス層１０の法線Ｌｃ上でのビードフィラー３２の断面幅Ｇｆの１０％以上５０％以下であるのが好ましい。
【００５３】
また、タイゴム４０とインナーライナー１６とは、タイゴム端末部４１の位置でのタイゴム４０の厚さＧｔと、タイゴム端末部４１に隣接する位置でのインナーライナー１６の厚さＧｉとが、Ｇｔ≦Ｇｉの関係になっている。インナーライナー１６の厚さＧｉは、タイゴム端末部４１を通るカーカス層１０の法線Ｌｃ上でのインナーライナー１６の厚さになっている。つまり、タイゴム４０は、タイゴム端末部４１の位置での厚さＧｔが、タイゴム端末部４１を通るカーカス層１０の法線Ｌｃ上でのインナーライナー１６の厚さＧｉ以下の厚さになっている。なお、タイゴム端末部４１の位置でのタイゴム４０の厚さＧｔは、タイゴム端末部４１を通るカーカス層１０の法線Ｌｃ上でのインナーライナー１６の厚さＧｉの５０％以下９０％以下の範囲内であるのが好ましい。
【００５４】
本実施形態に係る空気入りタイヤ１を車両に装着する際には、ビード部３０にリムホイールを嵌合することによってリムホイールに空気入りタイヤ１をリム組みし、内部に空気を充填してインフレートした状態で車両に装着する。空気入りタイヤ１を装着した車両が走行すると、接地面３のうち下方に位置する部分の接地面３が路面に接触しながら当該空気入りタイヤ１は回転する。車両は、接地面３と路面との間の摩擦力により、駆動力や制動力を路面に伝達したり、旋回力を発生させたりすることにより走行する。
【００５５】
例えば、空気入りタイヤ１を装着した車両で乾燥した路面を走行する場合には、主に接地面３と路面との間の摩擦力により、駆動力や制動力を路面に伝達したり、旋回力を発生させたりすることにより走行する。また、濡れた路面を走行する際には、接地面３と路面との間の水が周方向溝２５等の溝に入り込み、これらの溝で接地面３と路面との間の水を排水しながら走行する。これにより、接地面３は路面に接地し易くなり、接地面３と路面との間の摩擦力により、車両は所望の走行をすることが可能になる。
【００５６】
また、本実施形態に係る空気入りタイヤ１は、トレッド部２の接地面３を構成するキャップゴム４ａの６０℃でのｔａｎδが、０．３以下であるため、車両走行時におけるトレッド部２の発熱を抑えることができ、転がり抵抗を低減することができる。
【００５７】
また、トレッド部２のプロファイルが比較的フラットな形状になっているため、接地面３の接地時における接地面積を大きくすることができる。また、サイドウォール部８のサイドゴム９の厚さが薄くなっており、ビードフィラー３２のタイヤ径方向における高さＢＦＨが低くなっているため、空気入りタイヤ１の、タイヤ径方向におけるバネ定数を低減することができる。これにより、荷重負荷時にサイドウォール部８を撓み易くさせることができ、これによっても接地面積を大きくすることができる。本実施形態に係る空気入りタイヤ１は、これらのように接地面積を大きくすることができるため、車両の制動時における制動性能を確保することができる。また、荷重負荷時にサイドウォール部８を撓み易くさせることにより、サイドウォール部８を撓み易くすることによって空気入りタイヤ１が変形する際におけるサイドウォール部８の寄与率を上げることができ、トレッド部２でのエネルギーロスを相対的に低減することができるため、転がり抵抗を低減することができる。
【００５８】
また、カーカス層１０とインナーライナー１６との間に配設されるタイゴム４０を、ビードフィラー３２に対してオーバーラップさせて配設しているので、荷重負荷によってサイドウォール部８やビード部３０が撓む際に、ビードフィラー３２が配設されている位置とビードフィラー３２が配設されていない位置とで撓み方が大幅に変化することを抑制することができる。つまり、サイドウォール部８は、サイドゴム９の厚さが薄くなっていることにより、剛性が低くなっているため、荷重負荷に対する撓み方が大きくなっている。このため、荷重負荷によってサイドウォール部８やビード部３０が撓む場合、ビードフィラー３２が配設されずに剛性が低い部分が撓んだ後に、ビードフィラー３２が配設されることによって剛性が高くなっている部分が撓むが、双方の部分では剛性が大幅に異なるため、荷重に対する撓み方が大幅に変化し易くなっている。
【００５９】
タイゴム４０は、このように荷重に対する撓み方が大幅に変化し易くなるサイドウォール部８とビード部３０との間にかけて配設されると共に、ビードフィラー３２の内側端部３４の位置までは配設されずに、ビードフィラー３２に対してオーバーラップしている。このため、ビードフィラー３２が配設されている部分とビードフィラー３２が配設されていない部分との境界で剛性が急激に変化することを抑制すると共に、双方の部分の剛性の差が大きくなり過ぎることを抑制することができる。これにより、荷重負荷時に撓み方が急激に変化することに起因する操安性能の低下を抑制することができる。
【００６０】
また、カーカス層１０とインナーライナー１６との間に配設されるタイゴム４０は、ビードフィラー３２に対するオーバーラップ量Ｈ１が、ビードフィラー幅Ｈｆの２０％以上６０％以下の範囲内であるため、荷重負荷時にサイドウォール部８やビード部３０の撓み方が急激に変化することを、より確実に抑制することができる。つまり、ビードフィラー３２に対するタイゴム４０のオーバーラップ量Ｈ１が、ビードフィラー幅Ｈｆの２０％未満である場合は、オーバーラップ量Ｈ１が小さ過ぎるため、ビードフィラー３２が配設されている位置とビードフィラー３２が配設されていない位置との境界で剛性が急激に変化することを、タイゴム４０によって抑制し難くなる。この場合、荷重負荷時にサイドウォール部８やビード部３０の撓み方が急激に変化することを、抑制し難くなる。また、ビードフィラー３２に対するタイゴム４０のオーバーラップ量Ｈ１が、ビードフィラー幅Ｈｆの６０％よりも大きい場合は、オーバーラップ量Ｈ１が大き過ぎるため、ビードフィラー３２が配設されている位置とビードフィラー３２が配設されていない位置とで剛性の差が大きくなり過ぎることを抑制し難くなる。この場合、剛性差が大き過ぎるため、荷重負荷時にサイドウォール部８やビード部３０の撓み方が急激に変化することを、抑制し難くなる。また、ビードフィラー３２に対するタイゴム４０のオーバーラップ量Ｈ１が、ビードフィラー幅Ｈｆの６０％よりも大きい場合は、タイゴム４０が配設される範囲が大きくなるため、軽量化を図る際に、軽量化を図り難くなる虞がある。
【００６１】
これに対し、ビードフィラー３２に対するタイゴム４０のオーバーラップ量Ｈ１が、ビードフィラー幅Ｈｆの２０％以上６０％以下の範囲内である場合は、サイドウォール部８からビード部３０にかけた剛性変化を緩やかにすることができる。つまり、ビードフィラー３２のタイヤ径方向外側の位置から、ビードフィラー３２が配設される位置にかけた剛性変化を緩やかにすることができる。これにより、荷重負荷時にサイドウォール部８やビード部３０の撓み方が急激に変化することを、より確実に抑制することができ、撓み方が急激に変化することに起因する、乗り心地性能を含む操安性能の低下を、より確実に抑制することができる。これらの結果、制動性能の低下と転がり抵抗の悪化を抑えつつ、操安性能を向上させることができる。
【００６２】
また、タイゴム端末部４１の位置でのタイゴム４０の厚さＧｔと、カーカス層１０を介してタイゴム端末部４１に隣接する位置でのビードフィラー３２の断面幅Ｇｆとが、Ｇｔ≦Ｇｆの関係であるため、タイゴム４０が配設される位置と、タイゴム４０が配設される位置のタイヤ径内側の位置とで剛性差が大きくなり過ぎることを抑制することができる。この結果、より確実に操安性能を向上させることができる。
【００６３】
また、タイゴム端末部４１の位置でのタイゴム４０の厚さＧｔが、カーカス層１０を介してタイゴム端末部４１に隣接する位置でのビードフィラー３２の断面幅Ｇｆよりも薄くなるようにすることにより、空気入りタイヤ１の製造時におけるエアの入り込みを抑制することができる。つまり、タイゴム４０の厚さＧｔが厚過ぎる場合は、タイゴム４０が配設される位置のタイヤ径方向内側で、インナーライナー１６とカーカス層１０との間の隙間が大きくなり過ぎる虞がある。この場合、空気入りタイヤ１の製造時においてインナーライナー１６とタイゴム４０とカーカス層１０を貼り合わせる際に、タイゴム４０が配設されない位置にエアが入り込み、部材同士の密着性が低下する虞がある。これに対し、タイゴム４０の厚さＧｔがビードフィラー３２の断面幅Ｇｆよりも薄くなるようにすることにより、タイゴム４０の厚さＧｔが厚くなり過ぎることに起因する、製造時のエアの入り込みを抑えることができる。この結果、部材同士の密着性を向上させることができる。
【００６４】
また、タイゴム端末部４１の位置でのタイゴム４０の厚さＧｔと、タイゴム端末部４１に隣接する位置でのインナーライナー１６の厚さＧｉとが、Ｇｔ≦Ｇｉの関係であるため、タイゴム４０が配設される位置と、タイゴム４０が配設される位置のタイヤ径内側の位置とで剛性差が大きくなり過ぎることを、より確実に抑制することができる。この結果、より確実に操安性能を向上させることができる。
【００６５】
また、タイヤ子午断面におけるトレッド部２のトレッドラジアスＴＲが、６００ｍｍ以上１７００ｍｍ以下の範囲内であるため、接地面積をより確実に確保することができる。つまり、トレッド部２のトレッドラジアスＴＲが、６００ｍｍ未満である場合は、接地面３が接地した際における接地面積を確保し難くなる虞があり、制動性能を確保し難くなる虞がある。また、トレッド部２のトレッドラジアスＴＲが、１７００ｍｍより大きい場合は、接地面３が接地した際に、タイヤ赤道面ＣＬ付近の接地性が低下する虞があり、制動性能を確保し難くなる虞がある。
【００６６】
これに対し、トレッド部２のトレッドラジアスＴＲが、６００ｍｍ以上１７００ｍｍ以下の範囲内である場合は、接地面３が接地した際における接地面積をより確実に確保することができる。この結果、より確実に制動性能を確保することができる。
【００６７】
また、トレッド部２の接地幅ＴＷが、タイヤ最大幅ＳＷの６０％以上９０％以下の範囲内であるため、接地面積をより確実に確保することができる。つまり、トレッド部２の接地幅ＴＷが、タイヤ最大幅ＳＷの６０％未満である場合は、接地面３が接地した際における接地面積を確保し難くなる虞があり、制動性能を確保し難くなる虞がある。また、トレッド部２の接地幅ＴＷが、タイヤ最大幅ＳＷの９０％より大きい場合は、ショルダー部５寄りの接地性は上がる一方で、タイヤ赤道面ＣＬ付近の接地性が低下する虞があり、制動性能を確保し難くなる虞がある。
【００６８】
これに対し、トレッド部２の接地幅ＴＷが、タイヤ最大幅ＳＷの６０％以上９０％以下の範囲内である場合は、接地面３が接地した際における接地面積をより確実に確保することができる。この結果、より確実に制動性能を確保することができる。
【００６９】
また、タイヤ径方向におけるビードフィラー３２の高さＢＦＨが、タイヤ断面高さＳＨの３０％以下であるため、より確実にサイドウォール部８を撓み易くすることができ、より確実に制動性能と低転がり抵抗を確保することができる。つまり、ビードフィラー３２の高さＢＦＨが、タイヤ断面高さＳＨの３０％より大きい場合は、タイヤ径方向におけるビードフィラー３２の高さＢＦＨが高過ぎるため、空気入りタイヤ１のタイヤ径方向におけるバネ定数を、効果的に低減するのが困難になる虞がある。この場合、荷重負荷時にサイドウォール部８を撓み易くして接地面積を大きくしたり、荷重負荷によって空気入りタイヤ１が変形する際におけるサイドウォール部８の寄与率を上げたりするのが困難になる虞がある。
【００７０】
これに対し、ビードフィラー３２の高さＢＦＨが、タイヤ断面高さＳＨの３０％以下である場合は、タイヤ径方向におけるバネ定数を、より確実に低減することができる。これにより、荷重負荷時により確実にサイドウォール部８を撓み易くすることができるため、より確実に接地面積を大きくしたり、荷重負荷によって変形する際におけるサイドウォール部８の寄与率を上げたりすることができる。この結果、より確実に制動性能の低下と転がり抵抗の悪化を抑えることができる。
【００７１】
また、リム径基準位置ＢＬからタイヤ最大幅位置Ｗまでのタイヤ径方向における高さＨＷが、タイヤ断面高さＳＨに対して５０％以上６０％以下の範囲内であるため、耐久性の低下を抑えつつ、より確実に制動性能と低転がり抵抗を確保することができる。つまり、タイヤ最大幅位置Ｗは、サイドウォール部８において最も撓み易い部分であるが、リム径基準位置ＢＬからタイヤ最大幅位置Ｗまでのタイヤ径方向における高さＨＷが、タイヤ断面高さＳＨの５０％未満である場合は、タイヤ最大幅位置Ｗがビード部３０に近付き過ぎる虞がある。ビード部３０は、ビードフィラー３２が配設されることにより剛性が高くなっており、撓み難い部位であるため、タイヤ最大幅位置Ｗがビード部３０に近付き過ぎると、タイヤ径方向におけるバネ定数を効果的に低減するのが困難になる虞がある。この場合、荷重負荷時にサイドウォール部８を撓み易くして接地面積を大きくしたり、荷重負荷によって空気入りタイヤ１が変形する際におけるサイドウォール部８の寄与率を上げたりするのが困難になる虞がある。また、リム径基準位置ＢＬからタイヤ最大幅位置Ｗまでのタイヤ径方向における高さＨＷが、タイヤ断面高さＳＨの６０％を超える場合は、タイヤ最大幅位置Ｗがトレッド部２に近付き過ぎる虞がある。この場合、タイヤ構造上に無理が生じ、耐久性が低下する虞がある。
【００７２】
これに対し、リム径基準位置ＢＬからタイヤ最大幅位置Ｗまでのタイヤ径方向における高さＨＷが、タイヤ断面高さＳＨに対して５０％以上６０％以下の範囲内である場合は、タイヤ最大幅位置Ｗが、ビード部３０やトレッド部２に近付き過ぎることを抑制することができる。これにより、耐久性が低下すること抑制しつつ、空気入りタイヤ１のタイヤ径方向におけるバネ定数を、より確実に低減することができる。この結果、耐久性の低下を抑制しつつ、より確実に制動性能の低下と転がり抵抗の悪化を抑えることができる。
【００７３】
また、サイドウォール部８は、タイヤ最大幅位置Ｗにおけるサイドゴム９の厚さＧｗが、１ｍｍ以上４ｍｍ以下の範囲内であるため、耐カット性の低下を抑えつつ、より確実に制動性能と低転がり抵抗を確保することができる。つまり、タイヤ最大幅位置Ｗにおけるサイドゴム９の厚さＧｗが１ｍｍ未満である場合、サイドゴム９の厚さＧｗが薄過ぎるため、石等の障害物がサイドウォール部８に接触した際における損傷のし難さである、耐カット性が低下する虞がある。また、タイヤ最大幅位置Ｗにおけるサイドゴム９の厚さＧｗが４ｍｍを超える場合、サイドゴム９の厚さＧｗが厚過ぎるため、タイヤ径方向におけるバネ定数を効果的に低減するのが困難になる虞がある。この場合、荷重負荷時にサイドウォール部８を撓み易くして接地面積を大きくしたり、荷重負荷によって空気入りタイヤ１が変形する際におけるサイドウォール部８の寄与率を上げたりするのが困難になる虞がある。
【００７４】
これに対し、タイヤ最大幅位置Ｗにおけるサイドゴム９の厚さＧｗが、１ｍｍ以上４ｍｍ以下の範囲内である場合は、耐カット性を確保しつつ、空気入りタイヤ１のタイヤ径方向におけるバネ定数を、より確実に低減することができる。この結果、耐カット性の低下を抑制しつつ、より確実に制動性能の低下と転がり抵抗の悪化を抑えることができる。
【００７５】
また、トレッドゴム４は、センター位置における厚さＧｃとショルダー位置における厚さＧｓとが、それぞれタイヤ断面高さＳＨの２％以上１０％以下の範囲内であるため、トレッド部２の摩耗寿命を確保しつつ、接地面３の接地時における接地面積を、より確実に確保することができる。つまり、トレッドゴム４のセンター位置における厚さＧｃやショルダー位置における厚さＧｓが、タイヤ断面高さＳＨの２％未満である場合は、トレッドゴム４の厚さが薄過ぎるため、摩耗寿命が不十分になり、耐久性を確保し難くなる虞がある。また、トレッドゴム４のセンター位置における厚さＧｃやショルダー位置における厚さＧｓが、タイヤ断面高さＳＨの１０％を超える場合は、トレッドゴム４の厚さが厚過ぎるため、トレッド部２の面外曲剛性が高くなり、接地面３の接地時における接地面積を効果的に大きくするのが困難になる虞がある。この場合、車両の制動時における制動性能を確保し難くなる虞がある。
【００７６】
これに対し、トレッドゴム４のセンター位置における厚さＧｃやショルダー位置における厚さＧｓが、タイヤ断面高さＳＨの２％以上１０％以下の範囲内である場合は、トレッド部２の摩耗寿命を確保しつつ、トレッド部２の面外曲剛性が高くなることを抑制することによって、接地面３の接地時における接地面積を、より確実に確保することができる。この結果、耐久性の低下を抑制しつつ、より確実に制動性能の低下を抑えることができる。
【００７７】
さらに、トレッドゴム４は、センター位置における厚さＧｃと、ショルダー位置における厚さＧｓとが、Ｇｃ≧Ｇｓの関係を満たすため、トレッド部２における接地端Ｔ付近を撓ませ易くすることができ、接地面３におけるショルダー部５寄りの部分を接地させ易くすることができる。この結果、より確実に接地面積を大きくすることができ、制動性能の低下を抑えることができる。
【００７８】
また、トレッドゴム４の厚さをこれらのように構成することにより、制動性能を確保することができるため、ｔａｎδが低いキャップゴム４ａを使用することができる。この結果、ヒステリシスロスを低減させることができ、より確実に転がり抵抗を低減することができる。
【００７９】
また、カーカス層１０が有するターンナップ部１２は、リム径基準位置ＢＬからターンナップエッジ部１２ａまでのタイヤ径方向における高さＴＵＨが、タイヤ断面高さＳＨの１０％以上４０％以下の範囲内であるため、ビード部３０の剛性を確保しつつ、より確実に制動性能と低転がり抵抗を確保することができる。つまり、リム径基準位置ＢＬからターンナップエッジ部１２ａまでの高さＴＵＨが、タイヤ断面高さＳＨの１０％未満である場合は、ビード部３０の剛性が不十分になり、荷重負荷時にサイドウォール部８からビード部３０にかけた範囲が撓み過ぎる虞がある。この場合、撓みが大き過ぎるため、操安性能を確保し難くなる虞がある。また、リム径基準位置ＢＬからターンナップエッジ部１２ａまでの高さＴＵＨが、タイヤ断面高さＳＨの４０％を超える場合は、リム径基準位置ＢＬからターンナップエッジ部１２ａまでの高さＴＵＨが高過ぎるため、タイヤ径方向におけるバネ定数を効果的に低減するのが困難になる虞がある。この場合、荷重負荷時にサイドウォール部８を撓み易くして接地面積を大きくしたり、荷重負荷によって空気入りタイヤ１が変形する際におけるサイドウォール部８の寄与率を上げたりするのが困難になる虞がある。
【００８０】
これに対し、リム径基準位置ＢＬからターンナップエッジ部１２ａまでの高さＴＵＨが、タイヤ断面高さＳＨの１０％以上４０％以下の範囲内である場合は、ビード部３０の剛性を確保しつつ、空気入りタイヤ１のタイヤ径方向におけるバネ定数を、より確実に低減することができる。この結果、より確実に制動性能の低下と転がり抵抗の悪化を抑えつつ、操安性能を向上させることができる。
【００８１】
［変形例］
なお、上述した実施形態では、インナーライナー１６は、ブチルゴムを主成分とするゴム組成物によって構成されているが、インナーライナー１６は、これ以外の材料によって構成されていてもよい。インナーライナー１６は、例えば、熱可塑性樹脂や、熱可塑性樹脂中にエラストマー成分をブレンドした熱可塑性エラストマー組成物などから構成されていてもよい。
【００８２】
熱可塑性樹脂としては、例えば、ポリアミド系樹脂〔例えばナイロン６（Ｎ６）、ナイロン６６（Ｎ６６）、ナイロン４６（Ｎ４６）、ナイロン１１（Ｎ１１）、ナイロン１２（Ｎ１２）、ナイロン６１０（Ｎ６１０）、ナイロン６１２（Ｎ６１２）、ナイロン６／６６共重合体（Ｎ６／６６）、ナイロン６／６６／６１０共重合体（Ｎ６／６６／６１０）、ナイロンＭＸＤ６、ナイロン６Ｔ、ナイロン９Ｔ、ナイロン６／６Ｔ共重合体、ナイロン６６／ＰＰ共重合体、ナイロン６６／ＰＰＳ共重合体〕、ポリエステル系樹脂〔例えばポリブチレンテレフタレート（ＰＢＴ）、ポリエチレンテレフタレート（ＰＥＴ）、ポリエチレンイソフタレート（ＰＥＩ）、ポリブチレンテレフタレート／テトラメチレングリコール共重合体、ＰＥＴ／ＰＥＩ共重合体、ポリアリレート（ＰＡＲ）、ポリブチレンナフタレート（ＰＢＮ）、液晶ポリエステル、ポリオキシアルキレンジイミドジ酸／ポリブチレンテレフタレート共重合体などの芳香族ポリエステル〕、ポリニトリル系樹脂〔例えばポリアクリロニトリル（ＰＡＮ）、ポリメタクリロニトリル、アクリロニトリル／スチレン共重合体（ＡＳ）、メタクリロニトリル／スチレン共重合体、メタクリロニトリル／スチレン／ブタジエン共重合体〕、ポリ（メタ）アクリレート系樹脂〔例えばポリメタクリル酸メチル（ＰＭＭＡ）、ポリメタクリル酸エチル、エチレンエチルアクリレート共重合体（ＥＥＡ）、エチレンアクリル酸共重合体（ＥＡＡ）、エチレンメチルアクリレート樹脂（ＥＭＡ）〕、ポリビニル系樹脂〔例えば酢酸ビニル（ＥＶＡ）、ポリビニルアルコール（ＰＶＡ）、ビニルアルコール／エチレン共重合体（ＥＶＯＨ）、ポリ塩化ビニリデン（ＰＶＤＣ）、ポリ塩化ビニル（ＰＶＣ）、塩化ビニル／塩化ビニリデン共重合体、塩化ビニリデン／メチルアクリレート共重合体〕、セルロース系樹脂〔例えば酢酸セルロース、酢酸酪酸セルロース〕、フッ素系樹脂〔例えばポリフッ化ビニリデン（ＰＶＤＦ）、ポリフッ化ビニル（ＰＶＦ）、ポリクロルフルオロエチレン（ＰＣＴＦＥ）、テトラフロロエチレン／エチレン共重合体（ＥＴＦＥ）〕、イミド系樹脂〔例えば芳香族ポリイミド（ＰＩ）〕などが採用され得る。
【００８３】
エラストマーとしては、例えば、ジエン系ゴムおよびその水素添加物〔例えばＮＲ、ＩＲ、エポキシ化天然ゴム、ＳＢＲ、ＢＲ（高シスＢＲおよび低シスＢＲ）、ＮＢＲ、水素化ＮＢＲ、水素化ＳＢＲ〕、オレフィン系ゴム〔例えばエチレンプロピレンゴム（ＥＰＤＭ、ＥＰＭ）、マレイン酸変性エチレンプロピレンゴム（Ｍ−ＥＰＭ）〕、ブチルゴム（ＩＩＲ）、イソブチレンと芳香族ビニルまたはジエン系モノマー共重合体、アクリルゴム（ＡＣＭ）、アイオノマー、含ハロゲンゴム〔例えばＢｒ−ＩＩＲ、Ｃｌ−ＩＩＲ、イソブチレンパラメチルスチレン共重合体の臭素化物（Ｂｒ−ＩＰＭＳ）、クロロプレンゴム（ＣＲ）、ヒドリンゴム（ＣＨＣ、ＣＨＲ）、クロロスルホン化ポリエチレン（ＣＳＭ）、塩素化ポリエチレン（ＣＭ）、マレイン酸変性塩素化ポリエチレン（Ｍ−ＣＭ）〕、シリコーンゴム〔例えばメチルビニルシリコーンゴム、ジメチルシリコーンゴム、メチルフェニルビニルシリコーンゴム〕、含イオウゴム〔例えばポリスルフィドゴム〕、フッ素ゴム〔例えばビニリデンフルオライド系ゴム、含フッ素ビニルエーテル系ゴム、テトラフルオロエチレン−プロピレン系ゴム、含フッ素シリコン系ゴム、含フッ素ホスファゼン系ゴム〕、熱可塑性エラストマー〔例えばスチレン系エラストマー、オレフィン系エラストマー、ポリエステル系エラストマー、ウレタン系エラストマー、ポリアミド系エラストマー〕などが採用され得る。
【００８４】
インナーライナー１６を、熱可塑性樹脂、或いは熱可塑性エラストマー組成物から構成した場合には、インナーライナー１６を、ブチルゴムを主成分とするゴム組成物から構成する場合と比較して、インナーライナー１６を薄型化することができる。これにより、タイヤ重量を大幅に軽減することができる。
【００８５】
また、上述した実施形態では、タイゴム４０は、トレッド部２を経てタイヤ幅方向両側のサイドウォール部８同士の間に亘って配設されているが、タイゴム４０は、タイヤ幅方向両側のサイドウォール部８同士の間に亘って連続して配設されていなくてもよい。タイゴム４０は、タイヤ幅方向における一方のサイドウォール部８側に配設されるタイゴム４０と、他方のサイドウォール部８側に配設されるタイゴム４０とで分割されていてもよく、例えば、ベルト層１４のタイヤ径方向内側の位置でタイゴム４０は分割されていてもよい。タイゴム４０は、少なくともサイドウォール部８に位置するカーカス層１０とインナーライナー１６との間に配設されていればよく、サイドウォール部８同士の間に亘って連続するか分割されるかに関わらず、タイゴム端末部４１のタイヤ径方向における位置がビードフィラー３２の外側端部３３と内側端部３４との間に位置し、ビードフィラー３２に対してタイゴム４０がタイヤ径方向にオーバーラップして配設されていればよい。
【００８６】
［実施例］
図４Ａ〜図４Ｃは、空気入りタイヤの性能評価試験の結果を示す図表である。以下、上記の空気入りタイヤ１について、従来例の空気入りタイヤと、本発明に係る空気入りタイヤ１と、本発明に係る空気入りタイヤ１と比較する比較例の空気入りタイヤとについて行なった性能評価試験について説明する。性能評価試験は、制動性能と、転がり抵抗と、操縦安定性の試験について行った。
【００８７】
性能評価試験は、ＪＡＴＭＡで規定されるタイヤの呼びが２０５／６０Ｒ１６  ９２Ｖサイズの空気入りタイヤ１を、リムサイズ１６×６．０ＪのＪＡＴＭＡ標準のリムホイールにリム組みし、空気圧を１８０ｋＰａに調整して行った。
【００８８】
各試験項目の評価方法は、制動性能については、排気量が１５００ｃｃの前輪駆動の試験車両に試験タイヤを装着して２名乗車相当の荷重を付与し、乾燥路面のテストコースで１００ｋｍ／ｈの速度から制動を開始して完全に停止するまでの制動距離を測定した。制動性能は、測定した制動距離の逆数を、後述する従来例１を１００とする指数で示した。この数値が大きいほど制動距離が短く、制動性能が優れていることを示している。
【００８９】
また、転がり抵抗については、室内のドラム試験機（ドラム径：１７０７ｍｍ）を使用し、ＩＳＯ２８５８０に準拠し荷重４．８ｋＮ、速度８０ｋｍ／ｈの条件における転がり抵抗係数を算出した。その結果を、後述する従来例の転がり抵抗係数の逆数を１００とする指数で示した。この指数が大きいほど転がり抵抗が低いことを示している。
【００９０】
また、操縦安定性については、試験タイヤを装着した上記試験車両でテストコースを走行した際における、テストドライバーによるフィーリング評価を行い、後述する従来例を１００とする指数で表すことによって評価した。この数値が大きいほど、乗り心地性能を含む操縦安定性に優れていることを示している。
【００９１】
性能評価試験は、従来の空気入りタイヤの一例である従来例の空気入りタイヤと、本発明に係る空気入りタイヤ１である実施例１〜１５と、本発明に係る空気入りタイヤ１と比較する空気入りタイヤである比較例１、２との１８種類の空気入りタイヤについて行った。このうち、従来例の空気入りタイヤは、タイゴム４０がビードフィラー３２とオーバーラップしておらず、タイゴム４０のタイゴム端末部４１が、ビードフィラー３２よりもタイヤ径方向外側に位置している。また、比較例１、２は、いずれもタイゴム４０がビードフィラー３２に対してオーバーラップしているものの、比較例１は、ビードフィラー幅Ｈｆに対するオーバーラップ量Ｈ１が２０％未満になっており、比較例２は、ビードフィラー幅Ｈｆに対するオーバーラップ量Ｈ１が６０％よりも大きくなっている。
【００９２】
これに対し、本発明に係る空気入りタイヤ１の一例である実施例１〜１５は、全てタイゴム４０がビードフィラー３２に対してオーバーラップしており、ビードフィラー幅Ｈｆに対するオーバーラップ量Ｈ１が、２０％以上６０％以下の範囲内になっている。さらに、実施例１〜１５に係る空気入りタイヤ１は、タイゴム端末部４１の位置でのタイゴム４０厚さＧｔとビードフィラー３２の断面幅Ｇｆとの関係や、タイゴム端末部４１の位置でのタイゴム４０厚さＧｔとインナーライナー１６の厚さＧｉとの関係、トレッドラジアスＴＲの大きさ、接地幅ＴＷ／タイヤ最大幅ＳＷ、ビードフィラー３２の高さＢＦＨ／タイヤ断面高さＳＨ、タイヤ最大幅位置Ｗの高さＨＷ／タイヤ断面高さＳＨ、タイヤ最大幅位置Ｗでのサイドゴム９の厚さＧｗ、センター位置でのトレッドゴム４の厚さＧｃ／タイヤ断面高さＳＨ、ショルダー位置でのトレッドゴム４の厚さＧｓ／タイヤ断面高さＳＨ、トレッドゴム４のセンター位置での厚さＧｃとショルダー位置での厚さＧｓとの関係、ターンナップ部１２の高さＴＵＨ／タイヤ断面高さＳＨが、それぞれ異なっている。
【００９３】
これらの空気入りタイヤ１を用いて性能評価試験を行った結果、図４Ａ〜図４Ｃに示すように、実施例１〜１５に係る空気入りタイヤ１は、従来例に対して、制動性能が低下したり転がり抵抗が悪化したりすることを抑制しつつ、操縦安定性を向上させることができる。つまり、実施例１〜１５に係る空気入りタイヤ１は、制動性能の低下と転がり抵抗の悪化を抑えつつ、操安性能を向上させることができる。
【符号の説明】
【００９４】
１  空気入りタイヤ
２  トレッド部
３  接地面
４  トレッドゴム
４ａ  キャップゴム
４ｂ  ベースゴム
５  ショルダー部
８  サイドウォール部
９  サイドゴム
１０  カーカス層
１１  カーカス本体部
１２  ターンナップ部
１２ａ  ターンナップエッジ部
１４  ベルト層
１６  インナーライナー
１８  タイヤ内面
２０  陸部
２５  周方向溝
３０  ビード部
３１  ビードコア
３２  ビードフィラー
３３  外側端部
３４  内側端部
４０  タイゴム
４１  タイゴム端末部
【図１】
2019209907.tif 000003
【図２】
2019209907.tif 000004
【図３】
2019209907.tif 000005
【図４Ａ】
2019209907.tif 000006
【図４Ｂ】
2019209907.tif 000007
【図４Ｃ】
2019209907.tif 000008